(57)【要約】【課題】スロットダイバーシチに必要な通信スロットを容易に確保する。【解決手段】複数の通信スロットを利用して端末と基地局との間でダイバーシチ通信を行う通信システムにおいて、端末ＰＳとの間で通信チャネルを接続する第１基地局ＣＳと、端末ＰＳとの間で通信チャネルを接続する、第１基地局ＣＳとの間で通信可能な第２基地局ＣＳとを含み、各基地局はそれぞれ端末ＰＳとの間で同一データの通信を行う。【選択図】図１
2008135865.tif 000002
【特許請求の範囲】
【請求項１】
複数の通信スロットを利用して端末と基地局との間でダイバーシチ通信を行う通信システムにおいて、前記基地局は、
前記端末との間で通信チャネルを接続する主基地局と、
前記端末との間で通信チャネルを接続する、前記主基地局との間で通信可能な少なくとも１つの従基地局とを含み、
各基地局がそれぞれ前記端末との間で同一データの通信を行う通信システム。
【請求項２】
前記主基地局は、下りデータを前記従基地局へ送信する手段と、
上りデータを前記従基地局から受信する手段と、
前記端末から受信した上りデータ又は前記従基地局を介して受信した上りデータを選択する手段とを備える請求項１記載の通信システム。
【請求項３】
前記端末は、前記主基地局から下りデータを受信する手段と、前記従基地局から下りデータを受信する手段と、前記主基地局から受信した下りデータ又は前記従基地局から受信した下りデータを選択する手段と、前記主基地局及び前記従基地局へ上りデータを送信する手段とを備える請求項１記載の通信システム。
【請求項４】
各基地局が互いにフレームのタイミングを伝達する請求項１から３の何れか一項記載の通信システム。
【請求項５】
複数の通信スロットを利用して端末との間でダイバーシチ通信を行う基地局において、
下りデータを周辺の基地局へ送信する手段と、上りデータを前記端末から受信する手段と、上りデータを周辺の基地局から受信する手段と、前記端末から受信した上りデータ又は周辺の基地局から受信した上りデータを選択する手段とを備える基地局。
【請求項６】
複数の通信スロットを利用して基地局との間でダイバーシチ通信を行う端末において、
複数の基地局から下りデータを受信する手段と、複数の基地局から受信した下りデータから一つの下りデータを選択する手段と、複数の基地局へ上りデータを送信する手段とを備える端末。
【請求項７】
複数の通信スロットを利用して端末と基地局との間でダイバーシチ通信を行う通信方法において、前記基地局は、前記端末との間で通信チャネルを接続する主基地局と、前記端末との間で通信チャネルを接続する、前記主基地局との間で通信可能な少なくとも１つの従基地局とを含み、
前記主基地局が下りデータを前記従基地局へ送信し、
前記主基地局及び前記従基地局が前記下りデータを前記端末へ送信し、
前記端末が前記主基地局から受信した下りデータ又は前記従基地局から受信した下りデータを選択する通信方法。
【請求項８】
複数の通信スロットを利用して端末と基地局との間でダイバーシチ通信を行う通信方法において、前記基地局は、前記端末との間で通信チャネルを接続する主基地局と、前記端末との間で通信チャネルを接続する、前記主基地局との間で通信可能な少なくとも１つの従基地局とを含み、
前記端末が上りデータを前記主基地局及び前記従基地局へ送信し、
前記従基地局が前記上りデータを前記主基地局へ送信し、
前記主基地局が前記端末から受信した上りデータ又は前記従基地局から受信した上りデータを選択する通信方法。
【発明の詳細な説明】
【技術分野】
【０００１】
本発明はダイバーシチ技術に関する。
【背景技術】
【０００２】
フェ−ジング対策として知られているダイバーシチ技術は、複数の通信路を利用して同じデータの通信を行い、品質の良いデータを選択する技術である。時分割多元接続（ＴＤＭＡ）を採用するＰＨＳ通信方式では、複数の通信スロットにそれぞれ同じデータを割り当てるダイバーシチ技術を採用する（特許文献１参照）。
【０００３】
図９は複数の通信スロットを利用したダイバーシチ技術を説明するための図である。図９に示されるように、端末からのデータを、第１のトラフィックチャネルの通信スロット及び第２のトラフィックチャネルの通信スロットで基地局へ送信し、基地局で品質の良いデータを選択する。同様に基地局からのデータを、第１のトラフィックチャネルの通信スロット及び第２のトラフィックチャネルの通信スロットで端末へ送信し、端末で品質の良いデータを選択する。
【特許文献１】特開平１１−３０８６６２号公報
【発明の開示】
【発明が解決しようとする課題】
【０００４】
複数の通信スロットを利用したダイバーシチ技術は、複数の通信スロットを利用して同一データの通信を行うため、基地局は使用可能な通信スロットを複数確保しなければならない。従来技術では、ダイバーシチに必要な複数の通信スロットを一つの基地局で確保しているが、一つの基地局が端末との通信のために複数の通信スロットを占有してしまうと、収容可能な端末の数が減るため通信効率が低下するという課題がある。また、基地局が既に複数の端末を収容している状態では、通信スロットに空きがない場合があり、新たな通信スロットを確保することができず複数の通信スロットを利用したダイバーシチを実現することができないという課題がある。
【課題を解決するための手段】
【０００５】
本発明の通信システムは、複数の通信スロットを利用して端末と基地局との間でダイバーシチ通信を行う通信システムにおいて、前記基地局は、前記端末との間で通信チャネルを接続する主基地局と、前記端末との間で通信チャネルを接続する、前記主基地局との間で通信可能な少なくとも１つの従基地局とを含み、各基地局はそれぞれ前記端末との間で同一データの通信を行うものである。
【０００６】
上記構成によれば、複数の通信スロットを利用して端末と基地局との間で行うスロットダイバーシチ通信において、複数の基地局と端末との間に通信チャネルを確立することで、スロットダイバーシチに必要な通信スロットを容易に確保することができる。
【０００７】
本発明において、前記主基地局は、下りデータを前記従基地局へ送信する手段と、上りデータを前記従基地局から受信する手段と、前記端末から受信した上りデータ又は前記従基地局を介して受信した上りデータを選択する手段とを備える。また、前記端末は、前記主基地局から下りデータを受信する手段と、前記従基地局から下りデータを受信する手段と、前記主基地局から受信した下りデータ又は前記従基地局から受信した下りデータを選択する手段と、前記主基地局及び前記従基地局へ上りデータを送信する手段とを備える。
【０００８】
本発明において、各基地局が互いにフレームのタイミングを伝達することで、各基地局が端末へ同一フレームで同一のデータを送信でき、また、主基地局が同一フレームで同一の端末からのデータを受信することができる。
【０００９】
本発明の通信方法は、複数の通信スロットを利用して端末と基地局との間でダイバーシチ通信を行う通信方法において、前記基地局は、前記端末との間で通信チャネルを接続する主基地局と、前記端末との間で通信チャネルを接続する、前記主基地局との間で通信可能な少なくとも１つの従基地局とを含み、前記主基地局が下りデータを前記従基地局へ送信し、前記主基地局及び前記従基地局が前記下りデータを前記端末へ送信し、前記端末が前記主基地局から受信した下りデータ又は前記従基地局から受信した下りデータを選択する。この構成によれば、複数の基地局と端末との間に通信チャネルを確立することで、下り方向のスロットダイバーシチに必要な通信スロットを容易に確保することができる。
【００１０】
本発明の通信方法は、複数の通信スロットを利用して端末と基地局との間でダイバーシチ通信を行う通信方法において、前記基地局は、前記端末との間で通信チャネルを接続する主基地局と、前記端末との間で通信チャネルを接続する、前記主基地局との間で通信可能な少なくとも１つの従基地局とを含み、前記端末が上りデータを前記主基地局及び前記従基地局へ送信し、前記従基地局が前記上りデータを前記主基地局へ送信し、前記主基地局が前記端末から受信した上りデータ又は前記従基地局から受信した上りデータを選択する。この構成によれば、複数の基地局と端末との間に通信チャネルを確立することで、上り方向のスロットダイバーシチに必要な通信スロットを容易に確保することができる。
【発明を実施するための最良の形態】
【００１１】
図１は本発明の通信システムの構成を示す図である。図１に示されるように、複数の通信スロットを利用して同一データの通信を行うダイバーシチを実現するために、互いに通信可能な第１のトラフィックチャネルが接続される第１の基地局（ＣＳ）及び第２のトラフィックチャネルが接続される第２の基地局（ＣＳ）を用いて通信を行う。上り方向の通信の場合は、端末（ＰＳ）は第１及び第２の基地局に対して同一データを送信し、第１の基地局は直接受信したデータ又は第２の基地局を介して受信したデータを選択する。下り方向の通信の場合は。第１及び第２の基地局は端末（ＰＳ）に対して同一データを送信し、端末（ＰＳ）は第１の基地局から受信したデータ又は第２の基地局から受信したデータを選択する。
【００１２】
図２は第１の基地局の構成を示す図である。第１の基地局１００は、端末ＰＳとの間でデータを送受信する無線側データ送受信部１０１と、無線データ送受信部１０１で直接受信した端末のデータ又は第２の基地局を介して受信した端末のデータを上りデータとして選択する上りデータ選択部１０３と、上りデータの送信及び下りデータの受信を行う網側データ送受信部１０５と、下りデータを送信タイミングを制御する送信タイミング制御部１０７とを備える。
【００１３】
図３は第２の基地局の構成を示す図である。第２の基地局２００は、端末ＰＳとの間でデータを送受信する無線側データ送受信部１０１と、上りデータの送信及び下りデータの受信を行う網側データ送受信部２０５と、下りデータを送信タイミングを制御する送信タイミング制御部２０７とを備える。
【００１４】
図４は端末の構成を示す図である。端末３００は、第１又は第２の基地局から下りデータを受信するデータ受信部３０１と、第１の基地局から受信したデータ又は第２の基地局から受信した下りデータを選択する受信データ選択部３０３と、送信データを分岐する送信データ分岐部３０５と、分岐した上りデータを第１又は第２の基地局へ送信するデータ送信部３０７と、第２の基地局に対する上りデータの送信タイミングを第１の基地局へ通知する送信タイミング通知部３０９とを備える。
【００１５】
図５は上りデータの送信タイミングを示す図であり、第１の基地局のＢＣＣＨ（Ａ）から２フレーム後に第２の基地局のＢＣＣＨ（Ａ）が送信された状態を示している。この場合、端末３００の送信タイミング通知部３０９は、送信タイミングとして、“２”を通知する。
【００１６】
図６は本発明の通信方法を示す図である。端末で第１のトラフィックチャネルの通信品質劣化を検出すると（Ｓ６０１）、第１のトラフィックチャネルを接続している第１の基地局に対して端末が第２のトラフィックの割り当て要求を行う（Ｓ６０２）。第１の基地局にリソースの空きがある場合は（Ｓ６０３ＹＥＳ）、第１の基地局が第２のトラフィックチャネルを割り当てる（Ｓ６０４）。第１の基地局にリソースの空きがない場合（Ｓ６０３ＮＯ）、周辺に基地局がある場合は（Ｓ６０５ＹＥＳ）、検索した周辺の基地局に対して端末が第２のトラフィックチャネルを割り当てを要求し（Ｓ６０６）、割り当てが成功するまで周辺基地局の検索を行う（Ｓ６０７）。割り当てが成功した場合は、端末は第２の基地局のＩＤ及び第２の基地局のＢＣＣＨ（Ａ）送信タイミングを第１の基地局に通知する（Ｓ６０８）。
【００１７】
図７は下り方向の通信処理を示している。第１の基地局は網からデータを受信し（Ｓ７０１）、下りデータの送信タイミングを決定する（Ｓ７０２）。送信タイミングは第１の基地局のＢＣＣＨ（Ａ）送信タイミングを基準にして何フレーム後に送信するかを計算する。また、第２の基地局での下りデータ送信タイミングを決定する（Ｓ７０３）。送信タイミングは、第２の基地局のＢＣＣＨ（Ａ）送信タイミングを基準にして何フレーム後に送信するかを計算する。その後、送信タイミングを付与した下りデータを網経由で第２の基地局へ送信し（Ｓ７０４）、下りデータの送信タイミングで端末に送信する（Ｓ７０５）。第２の基地局は、第１の基地局からの下りデータを受信し（Ｓ７０６）、付与されている送信タイミングで下りデータを端末に送信する（Ｓ７０７）。端末は、第１及び第２の基地局から下りデータを受信し（Ｓ７０８）、同一フレームにおける第１及び第２の基地局の下りデータから品質のよいデータを選択する（Ｓ７０９）。
【００１８】
図８は上り方向の通信処理を示している。端末は同一フレームで同一のデータを第１及び第２の基地局に送信する（Ｓ８０１）。第２の基地局は端末からの上りデータを受信し（Ｓ８０２）、上りデータ受信タイミングを決定する。受信タイミングはＢＣＣＨ（Ａ）送信タイミングを基準にして何フレーム後に受信したかを決定する（Ｓ８０３）。その後、受信タイミングを付与した上りのデータを網経由で第１の基地局に送信する（Ｓ８０４）。
【００１９】
第１の基地局は端末から上りデータを受信し（Ｓ８０５）、上りデータ受信タイミングを設定してデータを保持する（Ｓ８０６）。その後、第２の基地局から上りデータを受信し（Ｓ８０７）、第２の基地局から受信した上りデータに付与された受信タイミングと同じ受信タイミングの端末からの上りデータを選択する（Ｓ８０８）。第１の基地局は第２の基地局のＢＣＣＨ（Ａ）送信タイミングを保持しているので、第２の基地局から受信した上りデータに付与された受信タイミングから同一タイミングで端末から受信した上りデータを選択することができる。例えば、第１の基地局に通知された第２の基地局のＢＣＣＨ（Ａ）送信タイミングが“２”、第２の基地局から受信した上りデータに付与された受信タイミングが“４”の場合、第１の基地局のＢＣＣＨ（Ａ）送信タイミングから６フレーム後に受信した上りデータを比較対象として選択する。その後、同一受信タイミングの第１及び第２の基地局への上りデータのうち品質のよい受信データを選択し（Ｓ８０９）、選択した上りデータを網に送信する（Ｓ８１０）。
【００２０】
上記実施形態によれば、複数の通信スロットを利用して端末と基地局との間で行うスロットダイバーシチ通信において、複数の基地局と端末との間に通信チャネルを確立することで、スロットダイバーシチに必要な通信スロットを容易に確保することができる。
【図面の簡単な説明】
【００２１】
【図１】本発明の通信システムの概念を示す図
【図２】本発明の通信システムを構成する基地局の構成を示す図
【図３】本発明の通信システムを構成する基地局の構成を示す図
【図４】本発明の通信システムを構成する端末の構成を示す図
【図５】送信タイミングを示す図
【図６】図６は本発明の通信処理の流れを示す図
【図７】下り方向の通信処理の流れを示す図
【図８】上り方向の通信処理の流れを示す図
【図９】従来のダイバーシチ通信システムを示す図
【符号の説明】
【００２２】
１００  基地局
１０１  無線側データ送受信部
１０３  上りデータ選択部
１０５  網側データ送受信部
１０７  下りデータ送信タイミング制御部
２００  基地局
２０１  無線側データ送受信部
２０５  網側データ送受信部
２０７  下りデータ送信タイミング制御部
３００  端末
３０１  データ受信部
３０３  受信データ選択部
３０５  送信データ分岐部
３０７  データ送信部
３０９  送信タイミング通知部
【図１】
2008135865.tif 000003
【図２】
2008135865.tif 000004
【図３】
2008135865.tif 000005
【図４】
2008135865.tif 000006
【図５】
2008135865.tif 000007
【図６】
2008135865.tif 000008
【図７】
2008135865.tif 000009
【図８】
2008135865.tif 000010
【図９】
2008135865.tif 000011